(57)【要約】【課題】排泄物と肌との接触を防ぐための手段を有する使い捨ておむつの提供。【解決手段】使い捨ておむつ１が身体被覆部２と体液吸収部３とを有する。体液吸収部３は、体液吸収性材のブロック２１と、ブロック２１がおむつ着用者の肌と向かい合う面を被覆する透液性シート２５とからなる。おむつ１には、体液吸収部３を横切り、透液性シート２５と対向している複数条の横断部材３１が設けられる。横断部材３１は、両端部３３ａが体液吸収部３の側縁部２２近傍においておむつ１に接合され、両端部３３ａ間が透液性シート２５に対して非接合状態にある。【選択図】      図３
2005058272.tif 000002
【特許請求の範囲】
【請求項１】
身体被覆部と体液吸収部とを有し、前記身体被覆部が前後方向とこれに直交する幅方向とを有し、前記前後方向における中央部に股下域が形成され、前記股下域の前方に前胴周り域が形成され、前記股下域の後方に後胴周り域が形成されており、肌と向かい合う内面と前記内面の反対側の外面とを有する一方、前記体液吸収部が前記身体被覆部の前記内面の側にあって前記股下域と前記前胴周り域と前記後胴周り域とのうちの少なくとも前記股下域に配置されている体液吸収性材料のブロックの前記肌と向かい合う面を透液性シートで被覆することにより形成されている使い捨ておむつにおいて、
前記体液吸収部は、前記股下域において前記股下域よりも幅狭く形成されており、前記前後方向へ並行して延びる一対の側縁部を有し、前記ブロックを被覆する前記透液性シートは、前記肌と向かい合う側において前記透液性シートから離間して前記体液吸収部を横切るように前記幅方向へ延びて前記前後方向に５〜２５０ｍｍの幅を有する少なくとも一条の横断部材と対向しており、
前記横断部材は、前記幅方向の両端部それぞれが前記側縁部近傍において前記おむつに接合されるとともに、前記両端部間が前記透液性シートに対して非接合状態にあることによって、前記身体被覆部と前記体液吸収部とが、前記股下域において前記内面から前記外面へ向かう方向に凸となってこれら両部の幅を狭くするように変形すると、前記両部が変形する方向とは反対の前記外面から前記内面へ向かう方向に凸となるように変形可能に形成されていることを特徴とする前記おむつ。
【請求項２】
前記おむつが複数条の前記横断部材を有し、前記前後方向において隣接する前記横断部材であって前記おむつ着用者の肛門近傍に位置するものどうしは、排泄される便が前記横断部材どうしの間を通過し得るように、前記前後方向に１０〜１５０ｍｍ離間している請求項１記載の使い捨ておむつ。
【請求項３】
前記横断部材が熱可塑性合成繊維を含む不織布、熱可塑性合成繊維を含む織布、および熱可塑性合成樹脂フィルムのいずれかからなる帯状シート片である請求項１または２記載の使い捨ておむつ。
【請求項４】
前記帯状シート片は、前記おむつに接合されている前記両端部の間に前記おむつの幅方向へ延びるスリットが形成されており、前記前後方向において隣接するスリットどうしは、それらの間隔が２〜８０ｍｍの範囲にある請求項３記載の使い捨ておむつ。
【請求項５】
前記横断部材は、幅２５ｍｍ、長さ１５０ｍｍの試料についての前記おむつの幅方向における剛軟度が１０〜１５０であって、前記外面から前記内面へ向かう方向に凸となるように湾曲させて前記おむつに取り付けることにより形成されている請求項１〜４のいずれかに記載の使い捨ておむつ。
【請求項６】
前記横断部材がＣ字形を画くように湾曲して前記おむつに取り付けられている請求項１〜５のいずれかに記載の使い捨ておむつ。
【請求項７】
前記横断部材がΩ字形を画くように湾曲して前記おむつに取り付けられている請求項１〜５のいずれかに記載の使い捨ておむつ。
【請求項８】
前記横断部材が熱可塑性合成樹脂を含み、前記外面から内面へ向かう方向に凸となるように熱成形されている請求項１〜７のいずれかに記載の使い捨ておむつ。
【請求項９】
前記おむつには、前記体液吸収部の両側縁部それぞれに沿って前記前後方向へ延びるとともに前記前後方向に弾性的に伸長、収縮可能な一対の防漏カフが形成され、前記横断部材が一対の前記防漏カフの内側に設けられている請求項１〜８のいずれかに記載の使い捨ておむつ。
【発明の詳細な説明】
【０００１】
【発明の属する技術分野】
この発明は、使い捨ておむつに関する。
【０００２】
【従来の技術】
特開平１１−３４２１５６号公報（特許文献１）に記載された使い捨ておむつは、透液性表面シートの上方に上面シートを有する。上面シートは、その外周縁部がおむつ全体に接合され、おむつの股下域の幅方向中央部に開口部を有し、その開口部の周縁には弾性部材が伸長状態で取り付けられている。おむつが前後方向に湾曲すると、上面シートは、弾性部材が収縮して開口部の周縁が表面シートから離間する。このおむつでは、着用者の肛門と泌尿器とを上面シートの開口部内側に位置させて、排泄物を上面シートと表面シートとの間に捕捉する。このような上面シートは、排泄物と肌との接触を防ぐための手段となる。上面シートに取り付けられる弾性部材には、細い糸ゴム等が使用される。
【０００３】
特開平５−２８５１７４号公報（特許文献２）に記載の使い捨てオムツは、透液性の第１上面シートの上面に液抵抗性の第２上面シートが設けられ、その第２上面シートの中央部にオムツの前後方向に長く延びる開口部が形成されている。開口部の対向する両側縁それぞれからは液抵抗性のフラップが延出し、フラップそれぞれの外側縁に沿って弾性部材が取り付けられ、フラップそれぞれの長さ方向端部が第２上面シートに接合されている。このようなおむつでも、第２上面シートが排泄物と肌との接触を防ぐための手段となり、第２上面シートに取り付けられる弾性部材には、細い糸ゴム等が使用される。
【０００４】
【特許文献１】
特開平１１−３４２１５６号公報
【特許文献２】
特開平５−２８５１７４号公報
【０００５】
【発明が解決しようとする課題】
特許文献１および特許文献２に記載のおむつは、いずれも吸収性の芯材を覆う表面シートの上方に排泄物と肌との接触を防ぐための手段となる上面シートを有し、この上面シートに取り付けられた弾性部材の収縮作用によって、上面シートがおむつ着用者の肌に密着する。しかし、このようなおむつでは、糸ゴム等からなる細い弾性部材が肌を局部的に強く刺激して痛みの原因になったり、かぶれの原因になったりするということがある。
【０００６】
この発明では、排泄物と肌との接触を防ぐための手段を有する使い捨ておむつにおいて、その手段によって肌を強く刺激したり、肌がかぶれたりすることがないように改良を施すことを課題にしている。
【０００７】
【課題を解決するための手段】
前記課題解決のために、この発明が対象とするのは、身体被覆部と体液吸収部とを有し、前記身体被覆部が前後方向とこれに直交する幅方向とを有し、前記前後方向における中央部に股下域が形成され、前記股下域の前方に前胴周り域が形成され、前記股下域の後方に後胴周り域が形成されており、肌と向かい合う内面と前記内面の反対側の外面とを有する一方、前記体液吸収部が前記身体被覆部の前記内面の側にあって前記股下域と前記前胴周り域と前記後胴周り域とのうちの少なくとも前記股下域に配置されている体液吸収性材料のブロックの前記肌と向かい合う面を透液性シートで被覆することにより形成されている使い捨ておむつである。
【０００８】
かかるおむつにおいて、この発明が特徴とするところは、次のとおりである。前記体液吸収部は、前記股下域において前記股下域よりも幅狭く形成されており、前記前後方向へ並行して延びる一対の側縁部を有し、前記ブロックを被覆する前記透液性シートは、前記肌と向かい合う側において前記透液性シートから離間して前記体液吸収部を横切るように前記幅方向へ延びて前記前後方向に５〜２５０ｍｍの幅を有する少なくとも一条の横断部材と対向している。前記横断部材は、前記幅方向の両端部それぞれが前記側縁部近傍において前記おむつに接合されるとともに、前記両端部間が前記透液性シートに対して非接合状態にあることによって、前記身体被覆部と前記体液吸収部とが、前記股下域において前記内面から前記外面へ向かう方向に凸となってこれら両部の幅を狭くするように変形すると、前記両部が変形する方向とは反対の前記外面から前記内面へ向かう方向に凸となるように変形可能に形成されている。
【０００９】
この発明には、次のような好ましい実施態様がある。
（１）前記おむつが複数条の前記横断部材を有し、前記前後方向において隣接する前記横断部材であって前記おむつ着用者の肛門近傍に位置するものどうしは、排泄される便が前記横断部材どうしの間を通過し得るように、前記前後方向に１０〜１５０ｍｍ離間している。
（２）前記横断部材が熱可塑性合成繊維を含む不織布、熱可塑性合成繊維を含む織布、および熱可塑性合成樹脂フィルムのいずれかからなる帯状シート片である。
（３）前記帯状シート片は、前記おむつに接合されている前記両端部の間に前記おむつの幅方向へ延びるスリットが形成されており、前記前後方向において隣接するスリットどうしは、それらの間隔が２〜８０ｍｍの範囲にある。
（４）前記横断部材は、幅２５ｍｍ、長さ１５０ｍｍの試料についての前記おむつの幅方向における剛軟度が１０〜１５０であって、前記外面から前記内面へ向かう方向に凸となるように湾曲させて前記おむつに取り付けることにより形成されている。
（５）前記横断部材がＣ字形を画くように湾曲して前記おむつに取り付けられている。
（６）前記横断部材がΩ字形を画くように湾曲して前記おむつに取り付けられている。
（７）前記横断部材が熱可塑性合成樹脂を含み、
前記外面から内面に向かう方向に凸となるように熱成形されている。
（８）前記おむつには、前記体液吸収部の両側縁部それぞれに沿って前記前後方向へ延びるとともに前記前後方向に弾性的に伸長、収縮可能な一対の防漏カフが形成され、前記横断部材が一対の前記防漏カフの内側に設けられている。
【００１０】
【発明の実施の形態】
添付の図面を参照して、この発明に係る使い捨ておむつ詳細を説明すると、以下のとおりである。
【００１１】
図１は、この発明に係る使い捨ておむつ１の部分破断斜視図である。おむつ１は、パンツ型を呈する身体被覆部２と、平面形状がほぼ長方形に形成された体液吸収部３（図２参照）とを有する。身体被覆部２は、おむつ着用者の肌に当接する内面シート４と、着衣に当接する外面シート５とからなり、股下域８の前方に前胴周り域６を有し、後方に後胴周り域７を有する。前後胴周り域６，７は、互いの側縁部６ａ，７ａが合掌状に重なり合い、図の上下方向に間欠的に並ぶ部位１３において接合している。かかるおむつ１は、胴周り開口１１と、一対の脚周り開口１２とを有し、胴周り開口１１の周縁部には複数条の胴周り弾性部材１６が内面シート４と外面シート５との間にあって、これらシート４，５との少なくとも一方の内面に伸長状態で接合している。また、脚周り開口１２それぞれの周縁部には、複数条の脚周り弾性部材１７が内面シート４と外面シート５との間にあって、これらシート４，５の少なくとも一方の内面に伸長状態で接合している。
【００１２】
図２、３は、図１のおむつ１が部位１３において剥離され、矢印Ａ、Ｂ方向へ伸展された状態にあるときの部分破断平面図と、その平面図におけるＩＩＩ−ＩＩＩ線切断面を示す図である。おむつ１は、双頭矢印Ｘで示される幅方向と、双頭矢印Ｙで示される前後方向とを有し、伸展状態で砂時計型を呈している身体被覆部２の幅方向Ｘの中央部内面には、股下域８において身体被覆部２よりも幅狭く形成されていて、股下域８から前後方向Ｙに長く延びる体液吸収部３が設けられている。身体被覆部２では、前後端縁部２ａ，２ｂにおいて外面シート５がおむつ１の内側へ折り返されて、内面シート４に重ねられている。体液吸収部３は、芯材２１と透液性シート２５とからなる。芯材２１は、股下域８に配置され、好ましくは股下域８から前後方向Ｙに向かって延びている。被覆シート２５は、芯材２１の内外面２１ａ，２１ｂのうちの少なくとも内面２１ａを被覆するもので、図示例では芯材２１の外面２１ｂをも被覆している。かような体液吸収部３は、内面３４と、外面３５と、前後方向Ｙへ延びる一対の側縁部２２と、幅方向へ延びる前後端縁部２３，２４とを有する。外面３５は、一対の側縁部２２と２２との中間部分、および前後端縁部２３，２４においてホットメルト接着剤２７を介して身体被覆部２に接合されている。体液吸収部３の内面３４は、前後方向Ｙにおける少なくとも一部分が、体液吸収部３を横切るように幅方向Ｘへ延びており、前後方向Ｙにおける幅が５〜２５０ｍｍである少なくとも一条の横断部材３１によって覆われている。図２では、その横断部材３１が、前後方向Ｙにおいて前胴周り域６寄りの前方横断部材３１ａと、後胴周り域７寄りの後方横断部材３１ｂとの二条からなる。横断部材３１は、体液吸収部３を横断して延びる帯状シート片３２によって形成されており、図３では、横断部材３１の両端部３３ａが体液吸収部３の側縁部２２における外面３５に接着剤２７を介して接合される一方、両端部３３ａ間の中間部３３ｂが体液吸収部３の内面３４を形成している被覆シート２５に対して非接合状態にある。好ましい横断部材３１は、両端部３３ａ間の長さがその両端部３３ａ間における体液吸収部３の表面に沿う長さよりも長く、中間部３３ｂが芯材２１の厚さ方向において、体液吸収部３の被覆シート２５から上方に向かって離間している。横断部材３１が図示例の如く複数条である場合には、前後方向Ｙにおいて互いに隣り合う横断部材３１のうちで、おむつ着用者の肛門近傍に位置することとなる横断部材３１どうしは、便がそれらの間を容易に通過し得るように、図２に示される如く前後方向Ｙへ寸法Ｗだけ離間して間隙３０を形成し、その寸法Ｗが１０〜１５０ｍｍの範囲にあることが好ましい。横断部材３１は、おむつ１の幅方向への曲げ変形に対して１０〜１５０の剛軟度を有していることが好ましく、その剛軟度は、ＪＩＳ  Ｌ  １９１３のセクション６．７．２に記載の方法と装置とによって測定される。剛軟度の測定には、おむつ１から採取するか、またはそのおむつ１の横断部材３１と同じ構造を有する幅２５ｍｍ、長さ１５０ｍｍの試料が使用される。
【００１３】
体液吸収部３が取り付けられている身体被覆部２には、体液吸収部３の側縁部２２それぞれの近傍に防漏カフ３６が設けられている。防漏カフ３６は、前後方向Ｙへ延びるシート片、好ましくは不透液性のシート片からなり、基縁部３７と前後端縁部３８，３９とが接着または溶着により身体被覆部２に接合されており、その前後端縁部３８，３９は外面シート５がおむつ１の内方へ折り返されている部分によって覆われている。防漏カフ３６はまた自由縁部４１を有し、その自由縁部４１は、基縁部３７よりもおむつ１の内方寄りに位置しており、股下域８とその近傍において身体被覆部２、体液吸収部３、横断部材３１に対して非接合状態にある。自由縁部４１においてシート片を折り返すことにより形成されたスリーブ４２の内面には、弾性部材４３が前後方向へ伸長された状態で接合されている。かような防漏カフ３６は、当業者にとって自明なように、おむつ１の内方へ向かって開口するポケット４４を形成している。
【００１４】
図４は、図１のおむつ１が着用されたときの股下域８の状態を示す図３と同様な図である。仮想線で示されている両脚５１に挟まれた股下域８は、身体被覆部２と体液吸収部３とが図示の如く下に向かって凸となるように、ほぼＶ字状に変形する一方、横断部材３１が上に向かって凸となるようにほぼ逆Ｖ字状ないし弧状に変形して、体液吸収部３と横断部材３１とが大きく離間し、おむつ１の前後方向へ長く延びるトンネル状の空間５２を形成する。そのように変形した横断部材３１の中間部３３ｂは、着用者の股部５０に下方から弾性的にゆるく接触して、おむつ着用者の肌を刺激することがない。図２の平面形状のおむつ１が図１のパンツ型のおむつ１となるときに、おむつ１が前後方向に湾曲してＵ字形を画くと、防漏カフ３６は、弾性部材４３が収縮して図４の如く身体被覆部２の内面から起立し、自由縁部４１が着用者のそ径部５３の近傍に当接可能になる。
【００１５】
図４の状態にあるおむつ１では、便が排泄されると、前方横断部材３１ａと後方横断部材３１ｂとが形成している間隙３０を通過して、体液吸収部３の内面３４に到達する。便は、それが軟便等の流動性のものであれば、空間５２の内側を流れて体液吸収部３の前後方向に広がる。そのように広がった便は、前方横断部材３１ａおよび／または後方横断部材３１ｂによって覆われており、おむつ着用者の肌に触れることがない。このように作用する横断部材３１は、図４の如く上方に向かって凸となるように変形することが容易になるように、また肌を強く刺激することがないように１０〜１５０の剛軟度を有する。横断部材３１は、剛軟度が１０よりも小さいと、フレキシブルになり過ぎて、上方に向かって凸となるように変形することが難しくなる。また、剛軟度が１５０を超えると、図４の如く着用者の肌に触れたときに、柔軟に変形することが難しく、肌を刺激する原因となる。
【００１６】
このような横断部材３１を形成している帯状シート片３２には、不織布や織布、プラスチックフィルム、開孔プラスチックフィルム、ネット等のシート材料を使用することができる。帯状シート片３２には、弾性的に変形可能なシート材料と非弾性的に変形可能なシート材料とのいずれをも使用し得るが、それが弾性的に変形可能なものであれば、横断部材３１は上方に向かって凸となるように変形することが容易になる。そのような弾性的なシート材料には、巻縮した繊維、例えば巻縮した複合繊維からなる不織布、天然ゴムや合成ゴム等のエラストマーからなるフィルムやネット、ウレタンやポリエチレン、ポリスチレン等からなる発泡プラスチックのシートがある。帯状シート片３２にはまた、疎水性のシート材料でも親水性のシート材料でも使用し得る。帯状シート片３２が疎水性のものであれば、それから得られる横断部材３１は、おむつ着用者に対して排尿後にもドライな感触を与えることができるものになるが、横断部材３１の上面において尿が側方へ流れ易いという場合がある。横断部材３１が親水性のものであれば、その上面において尿が側方へ流れることを防止し得るが、排尿後のおむつ着用者に対してウエットな感触を与えることがある。帯状シート片３２では、疎水性繊維に対して親水性繊維を適量混合し、帯状シート片３２における疎水性の程度を適度なレベルに調整することができる。
【００１７】
身体被覆部２における内面シート４には、不織布やプラスチックフィルムを使用することができる。外面シート５にも不織布やプラスチックフィルムを使用することができる。内面シート４と外面シート５とは、いずれも通気性のものであることが好ましいが、少なくとも一方は不透液性のものであって、体液吸収部３の外へ出た体液のおむつ１からの漏れを防げるものであることが好ましい。図１において、身体被覆部２の前後端縁部２ａ、２ｂにおいて内側へ折り返されている外面シート５は、そのような折り返しのないものに替えることができる。
【００１８】
体液吸収部３において、芯材２１には、例えば粉砕パルプ、粉砕パルプと高吸水性ポリマー粒子または高吸水性ポリマー繊維との混合物等の吸水性材料を所要の形状に圧縮成形することによって得られるブロックやそのブロックをティッシュペーパ等の液拡散性シートで被覆したものを使用することができる。また、体液吸収性のシート材料、例えばレーヨン紙やティシュペーパ、天然繊維の織布を重ね合わせてなる吸水性のブロックを使用することもできる。芯材２１に対して使用される被覆シート２５には、透液性の不織布や透液性の開孔プラスチックフィルム、ティシュペーパ等がある。ただし、芯材２１は、体液被覆部２と向かい合う外面２１ｂを不透液性シートで被覆して、芯材２１がおむつ着用者の肌と向かい合う内面２１ａのみを透液性シートで被覆しておくこともできる。防漏カフ３６には、不織布やプラスチックフィルム等のシート材料を使用することができる。このシート材料には、好ましくは不透液性、より好ましくは通気不透液性のものを使用する。
【００１９】
図５は、この発明の実施態様の一例を示す図３と同様な図である。このおむつ１における横断部材３１は、重なり合う３枚の同形同大のシート片３２ａ，３２ｂ，３２ｃからなる帯状シート片３２によって形成されている。３枚のシート片３２ａ，３２ｂ，３２ｃは、適宜の位置に形成された接合部５６において接着または溶着によって一体化するように接合されている。かような帯状シート片３２では、それぞれのシート片３２ａ，３２ｂ，３２ｃに肌触りのよい柔軟な不織布を使用する一方、３枚のシート片３２ａ，３２ｂ，３２ｃを部分的に一体化して帯状シート片３２としての剛軟度を高めることによって、肌触りがよくてしかも上方に向かって凸となるように容易に変形し得る横断部材３１を提供することができる。また、この帯状シート片３２では、最上層のシート片３ａに剛軟度が低くて肌触りのよい不織布を使用し、中間層や最下層のシート片３２ｂ，３２ｃに剛軟度の高いシート材料を使用することもできる。
【００２０】
図６もまた、この発明の実施態様の一例を示す図３と同様な図である。このおむつ１では、横断部材３１の両端部３３ａがおむつ１の外方へ向くように折曲されており、横断部材３１の切断面がΩ字状を呈している。帯状シート片３２の性状によっては、横断部材３１がこのような形状をとることによって、上方に向かって凸となるように湾曲したときの横断部材３１と体液吸収部３との離間距離が大きくなり易い。
【００２１】
図７もまた、この発明の実施態様の一例を示す図２と同様な図である。このおむつ１における横断部材３１は、前方横断部材３１ａと後方横断部材３１ｂとの二条からなり、横断部材３１ａ，３１ｂそれぞれには、おむつ１の幅方向Ｘに延びており、好ましくは体液吸収部３を横断する第１、第２スリット６１ａ，６１ｂが形成されている。隣接する第１スリット６１ａどうしの間隔ｍと、隣接する第２スリット６１ｂどうしの間隔ｎとは、２〜８０ｍｍの範囲にある。前方横断部材３１ａと後方横断部材３１ｂとは、体液吸収部３の上方に位置する部分が第１、第２スリット６１ａ，６１ｂによって複数条に細分化されているので、おむつ１が着用されたときに、複雑な曲線を画くおむつ着用者の肌に対しても密着することが容易になる。また、尿や軟便は、第１スリット６１ａや第２スリット６１ｂを通過して前方横断部材３１ａや後方横断部材３１ｂの内側に入ることが可能で、そのように流れた尿は、もはや着用者の肌を濡らすことがない。また、前方横断部材３１ａに第１スリット６１ａおよび／または後方横断部材３１ｂに第２スリット６１ｂが形成されているおむつ１では、間隙３０と肛門の位置がずれている場合でも、排泄物が第１スリット６１ａや第２スリット６１ｂを通り向けて体液吸収部３に到達することが可能である。図示例において、第１スリット６１ａは幅方向Ｘに長く連続して形成され、第２スリット６１ｂは幅向Ｘに短く間欠的に形成されているが、第１スリット６１ａを第２スリット６１ｂのように間欠的なものにしたり、第２スリット６１ｂを第１スリット６１ａのように連続的なものにしたりして、この発明を実施することもできる。
【００２２】
図８もまた、この発明の実施態様の一例を示す図３と同様な図である。このおむつ１では、前胴周り域６寄りに一条の横断部材３１が設けられる。この横断部材３１は、図３における前方横断部材３１ａとほぼ同じ位置に、ほぼ同じ寸法で作られている。ただし、この横断部材３１は、前方側縁部６１の近傍に接合部位６２を有し、その部位６２が接着または溶着により被覆シート２５に接合されている。かようなおむつ１の股下域８におけるＥ−Ｅ線に沿う切断面の形状は、図３のそれと実質的に同じであるから、その図示は省略する。横断部材３１は、おむつ１の大きさに応じて幅を５〜２５０ｍｍの間で調整することができる。横断部材３１の位置は、図示例のように前胴周り域６寄りであることが好ましいが、その位置を前後方向Ｙにずらすことも可能である。このおむつ１の横断部材３１にも、図７に例示の第１スリット６１ａや第２スリット６１ｂと同じような形状のスリットを設けることができる。
【００２３】
図９は、図８のＩＸ−ＩＸ線に沿う切断面を示す図である。図８において、ＩＸ−ＩＸ線は接合部位６２を横切っている。横断部材３１がおむつ１の中央部位において被覆シート２５に接合されているので、横断部材３１と被覆シート２５とがおむつ１の胴周り開口１１（図１参照）に向かって大きく口を開けるように離間することがない。このようなパンツ型のおむつ１では、それを乳幼児に着用させるときに、爪先を誤って横断部材３１と被覆シート２５との間に入れるということがない。
【００２４】
図１０もまた、この発明の実施態様の一例を示す図３と同様な図である。このおむつ１では、パンツ型の身体被覆部２における内面シート４が透液性の不織布で形成され、外面シート５が不透液性のプラスチックフィルムで形成されている。体液吸収部３は、体液吸収性の芯材２１とその芯材２１が肌と向かい合う面を被覆している内面シート４とによって形成されている。芯材２１は、粉砕パルプと高吸水性ポリマー粒子との混合物からなるブロック、またはこれら両者の積層物からなるブロックをティッシュペーパで被覆することにより形成されていて、内面シート４と外面シート５との間に配置され、これら両シート４，５の少なくとも一方の内面にホットメルト接着剤（図示せず）を介して接合されている。横断部材３１の帯状シート片３２は、熱可塑性合成繊維の不織布からなり、横断部材３１は全体としてほぼＣ字形を画くように、両端部３３ａがおむつ１の内方へ向かって折曲され、芯材２１の側縁部２２よりも外方において、内面シート４に接着または溶着により接合されている。このように使用される内面シート４は、身体被覆部２を形成するものであると同時に、体液吸収部３を形成するものでもある。このようなおむつ１においても、それが着用されたときには、横断部材３１の下方に図３と同様な大きな空間が形成される。
【００２５】
この発明において、横断部材３１は、両端部３３ａのそれぞれが確実におむつ１の内方または外方へ向くようにしたり、中間部３３ｂが確実に上方に向かって凸となるようにするために、横断部材３１が熱可塑性合成樹脂を含むものである場合には、その切断面形状がＣ字状またはΩ字状となるように予め熱成形しておくことができる。図示例においてパンツ型のおむつ１を例とって説明したこの発明は、開放型のおむつにおいて実施することも可能である。
【００２６】
【発明の効果】
この発明に係る使い捨ておむつでは、体液吸収部を横断してその体液吸収部の上方において弧を画く複数条の横断部材が設けられており、横断部材と横断部材との間を通って横断部材と体液吸収部とが形成する空間に流入した便や尿は、その横断部材の存在によっておむつ着用者の肌と接触することがない。横断部材は、適度な剛軟度を有し、それ自身が上方に向かって弧を画くように変形したときには、おむつ着用者の肌に弾性的にゆるく当接することが可能である。このような横断部材では、おむつ着用者の肌を局部的に強く刺激したり、肌がかぶれたりするということがない。横断部材にスリットが形成されていると、尿や軟便は、そのスリットを通り抜けて体液吸収部に到達することが可能になる。
【図面の簡単な説明】
【図１】使い捨ておむつの部分破断斜視図。
【図２】前後方向に分離し、伸展した状態にある使い捨ておむつの部分破断平面図。
【図３】図２のＩＩＩ−ＩＩＩ線切断面を示す図。
【図４】股下域が変形している使い捨ておむつについての図３と同様な図。
【図５】実施態様の一例を示す図３と同様な図。
【図６】実施態様の他の一例を示す図３と同様な図。
【図７】実施態様の他の一例を示す図２と同様な図。
【図８】実施態様の他の一例を示す図２と同様な図。
【図９】図８のＩＸ−ＩＸ線に沿う切断面を示す図。
【図１０】実施態様の他の一例を示す図３と同様な図。
【符号の説明】
１  使い捨ておむつ
２  身体被覆部
３  体液吸収部
６  前胴周り域
７  後胴周り域
８  股下域
２１  ブロック（芯材）
２２  側縁部
３１，３１ａ，３１ｂ  横断部材
３２  帯状シート片
３３ａ  端部
６１，６１ａ，６１ｂ  スリット
Ｘ  幅方向
Ｙ  前後方向
【図１】
2005058272.tif 000003
【図２】
2005058272.tif 000004
【図３】
2005058272.tif 000005
【図４】
2005058272.tif 000006
【図５】
2005058272.tif 000007
【図６】
2005058272.tif 000008
【図７】
2005058272.tif 000009
【図８】
2005058272.tif 000010
【図９】
2005058272.tif 000011
【図１０】
2005058272.tif 000012
【手続補正書】
【提出日】平成16年11月10日(2004.11.10)
【手続補正１】
【補正対象書類名】明細書
【補正対象項目名】全文
【補正方法】変更
【補正の内容】
【特許請求の範囲】
【請求項１】身体被覆部と体液吸収部とを有し、前記身体被覆部が前後方向とこれに直交する幅方向とを有し、前記前後方向における中央部に股下域が形成され、前記股下域の前方に前胴周り域が形成され、前記股下域の後方に後胴周り域が形成されており、前記体液吸収部が、肌と向かい合う内面と前記内面の反対側の外面とを有する体液吸収性材料のブロックの前記肌と向かい合う内面を透液性シートで被覆することにより形成されているとともに、前記身体被覆部の前記内面の側にあって前記股下域と前記前胴周り域と前記後胴周り域とのうちの少なくとも前記股下域に配置されている使い捨ておむつにおいて、
前記体液吸収部は、前記股下域において前記股下域よりも幅狭く形成されており、前記前後方向へ並行して延びる一対の側縁部を有し、
前記おむつは、前記肌と向かい合う側において前記ブロックを被覆する前記透液性シートから離間して配置された帯状シート片からなる少なくとも一条の横断部材を備え、前記横断部材は、前記前後方向に位置するその両側縁が前記体液吸収部を横切って前記幅方向へ延び、前記幅方向の両端部それぞれが前記体液吸収部の前記側縁部近傍において前記おむつに接合されるとともに、前記両端部間が前記透液性シートに対して非接合状態にあることによって、前記身体被覆部と前記体液吸収部とが、前記股下域において前記内面から前記外面へ向かう方向に凸となってこれら両部の幅を狭くするように変形すると、前記両部が変形する方向とは反対の前記外面から前記内面へ向かう方向に凸となるように変形可能に形成されていることを特徴とする前記おむつ。
【請求項２】前記おむつが複数条の前記横断部材を有し、前記前後方向において隣接する前記横断部材であって前記おむつ着用者の肛門近傍に位置するものどうしは、排泄される便が前記横断部材どうしの間を通過し得るように、前記前後方向に１０〜１５０ｍｍ離間している請求項１記載の使い捨ておむつ。
【請求項３】前記帯状シート片が熱可塑性合成繊維を含む不織布、熱可塑性合成繊維を含む織布、および熱可塑性合成樹脂フィルムのいずれかからなる請求項１または２記載の使い捨ておむつ。
【請求項４】前記帯状シート片は、前記おむつに接合されている前記両端部の間に前記おむつの幅方向へ延びるスリットが形成されており、前記前後方向において隣接するスリットどうしは、それらの間隔が２〜８０ｍｍの範囲にある請求項３記載の使い捨ておむつ。
【請求項５】前記横断部材は、幅２５ｍｍ、長さ１５０ｍｍの試料についての前記おむつの幅方向における剛軟度が１０〜１５０であって、前記外面から前記内面へ向かう方向に凸となるように湾曲させて前記おむつに取り付けることにより形成されている請求項１〜４のいずれかに記載の使い捨ておむつ。
【請求項６】前記横断部材がＣ字形を画くように湾曲して前記おむつに取り付けられている請求項１〜５のいずれかに記載の使い捨ておむつ。
【請求項７】前記横断部材がΩ字形を画くように湾曲して前記おむつに取り付けられている請求項１〜５のいずれかに記載の使い捨ておむつ。
【請求項８】前記横断部材が熱可塑性合成樹脂を含み、前記外面から内面へ向かう方向に凸となるように熱成形されている請求項１〜７のいずれかに記載の使い捨ておむつ。
【請求項９】前記おむつには、前記体液吸収部の両側縁部それぞれに沿って前記前後方向へ延びるとともに前記前後方向に弾性的に伸長、収縮可能な一対の防漏カフが形成され、前記横断部材が一対の前記防漏カフの内側に設けられている請求項１〜８のいずれかに記載の使い捨ておむつ。
【発明の詳細な説明】
【０００１】
【発明の属する技術分野】
この発明は、使い捨ておむつに関する。
【０００２】
【従来の技術】
特開平１１−３４２１５６号公報（特許文献１）に記載された使い捨ておむつは、透液性表面シートの上方に上面シートを有する。上面シートは、その外周縁部がおむつ全体に接合され、おむつの股下域の幅方向中央部に開口部を有し、その開口部の周縁には弾性部材が伸長状態で取り付けられている。おむつが前後方向に湾曲すると、上面シートは、弾性部材が収縮して開口部の周縁が表面シートから離間する。このおむつでは、着用者の肛門と泌尿器とを上面シートの開口部内側に位置させて、排泄物を上面シートと表面シートとの間に捕捉する。このような上面シートは、排泄物と肌との接触を防ぐための手段となる。上面シートに取り付けられる弾性部材には、細い糸ゴム等が使用される。
【０００３】
特開平５−２８５１７４号公報（特許文献２）に記載の使い捨てオムツは、透液性の第１上面シートの上面に液抵抗性の第２上面シートが設けられ、その第２上面シートの中央部にオムツの前後方向に長く延びる開口部が形成されている。開口部の対向する両側縁それぞれからは液抵抗性のフラップが延出し、フラップそれぞれの外側縁に沿って弾性部材が取り付けられ、フラップそれぞれの長さ方向端部が第２上面シートに接合されている。このようなおむつでも、第２上面シートが排泄物と肌との接触を防ぐための手段となり、第２上面シートに取り付けられる弾性部材には、細い糸ゴム等が使用される。
【０００４】
【特許文献１】
特開平１１−３４２１５６号公報
【特許文献２】
特開平５−２８５１７４号公報
【０００５】
【発明が解決しようとする課題】
特許文献１および特許文献２に記載のおむつは、いずれも吸収性の芯材を覆う表面シートの上方に排泄物と肌との接触を防ぐための手段となる上面シートを有し、この上面シートに取り付けられた弾性部材の収縮作用によって、上面シートがおむつ着用者の肌に密着する。しかし、このようなおむつでは、糸ゴム等からなる細い弾性部材が肌を局部的に強く刺激して痛みの原因になったり、かぶれの原因になったりするということがある。
【０００６】
この発明では、排泄物と肌との接触を防ぐための手段を有する使い捨ておむつにおいて、その手段によって肌を強く刺激したり、肌がかぶれたりすることがないように改良を施すことを課題にしている。
【０００７】
【課題を解決するための手段】
前記課題解決のために、この発明が対象とするのは、身体被覆部と体液吸収部とを有し、前記身体被覆部が前後方向とこれに直交する幅方向とを有し、前記前後方向における中央部に股下域が形成され、前記股下域の前方に前胴周り域が形成され、前記股下域の後方に後胴周り域が形成されており、前記体液吸収部が、肌と向かい合う内面と前記内面の反対側の外面とを有する体液吸収性材料のブロックの前記肌と向かい合う内面を透液性シートで被覆することにより形成されているとともに、前記身体被覆部の前記内面の側にあって前記股下域と前記前胴周り域と前記後胴周り域とのうちの少なくとも前記股下域に配置されている使い捨ておむつである
【０００８】
かかるおむつにおいて、この発明が特徴とするところは、次のとおりである。前記体液吸収部は、前記股下域において前記股下域よりも幅狭く形成されており、前記前後方向へ並行して延びる一対の側縁部を有し、前記おむつは、前記肌と向かい合う側において前記ブロックを被覆する前記透液性シートから離間して配置された帯状シート片からなる少なくとも一条の横断部材を備えている。前記横断部材は、前記前後方向に位置するその両側縁が前記体液吸収部を横切って前記幅方向へ延び、前記幅方向の両端部それぞれが前記体液吸収部の前記側縁部近傍において前記おむつに接合されるとともに、前記両端部間が前記透液性シートに対して非接合状態にあることによって、前記身体被覆部と前記体液吸収部とが、前記股下域において前記内面から前記外面へ向かう方向に凸となってこれら両部の幅を狭くするように変形すると、前記両部が変形する方向とは反対の前記外面から前記内面へ向かう方向に凸となるように変形可能に形成されている。
【０００９】
この発明には、次のような好ましい実施態様がある。
（１）前記おむつが複数条の前記横断部材を有し、前記前後方向において隣接する前記横断部材であって前記おむつ着用者の肛門近傍に位置するものどうしは、排泄される便が前記横断部材どうしの間を通過し得るように、前記前後方向に１０〜１５０ｍｍ離間している。
（２）前記帯状シート片が熱可塑性合成繊維を含む不織布、熱可塑性合成繊維を含む織布、および熱可塑性合成樹脂フィルムのいずれかからなる。
（３）前記帯状シート片は、前記おむつに接合されている前記両端部の間に前記おむつの幅方向へ延びるスリットが形成されており、前記前後方向において隣接するスリットどうしは、それらの間隔が２〜８０ｍｍの範囲にある。
（４）前記横断部材は、幅２５ｍｍ、長さ１５０ｍｍの試料についての前記おむつの幅方向における剛軟度が１０〜１５０であって、前記外面から前記内面へ向かう方向に凸となるように湾曲させて前記おむつに取り付けることにより形成されている。
（５）前記横断部材がＣ字形を画くように湾曲して前記おむつに取り付けられている。
（６）前記横断部材がΩ字形を画くように湾曲して前記おむつに取り付けられている。
（７）前記横断部材が熱可塑性合成樹脂を含み、
前記外面から内面に向かう方向に凸となるように熱成形されている。
（８）前記おむつには、前記体液吸収部の両側縁部それぞれに沿って前記前後方向へ延びるとともに前記前後方向に弾性的に伸長、収縮可能な一対の防漏カフが形成され、前記横断部材が一対の前記防漏カフの内側に設けられている。
【００１０】
【発明の実施の形態】
添付の図面を参照して、この発明に係る使い捨ておむつ詳細を説明すると、以下のとおりである。
【００１１】
図１は、この発明に係る使い捨ておむつ１の部分破断斜視図である。おむつ１は、パンツ型を呈する身体被覆部２と、平面形状がほぼ長方形に形成された体液吸収部３（図２参照）とを有する。身体被覆部２は、おむつ着用者の肌に当接する内面シート４と、着衣に当接する外面シート５とからなり、股下域８の前方に前胴周り域６を有し、後方に後胴周り域７を有する。前後胴周り域６，７は、互いの側縁部６ａ，７ａが合掌状に重なり合い、図の上下方向に間欠的に並ぶ部位１３において接合している。かかるおむつ１は、胴周り開口１１と、一対の脚周り開口１２とを有し、胴周り開口１１の周縁部には複数条の胴周り弾性部材１６が内面シート４と外面シート５との間にあって、これらシート４，５との少なくとも一方の内面に伸長状態で接合している。また、脚周り開口１２それぞれの周縁部には、複数条の脚周り弾性部材１７が内面シート４と外面シート５との間にあって、これらシート４，５の少なくとも一方の内面に伸長状態で接合している。
【００１２】
図２、３は、図１のおむつ１が部位１３において剥離され、矢印Ａ、Ｂ方向へ伸展された状態にあるときの部分破断平面図と、その平面図におけるＩＩＩ−ＩＩＩ線切断面を示す図である。おむつ１は、双頭矢印Ｘで示される幅方向と、双頭矢印Ｙで示される前後方向とを有し、伸展状態で砂時計型を呈している身体被覆部２の幅方向Ｘの中央部内面には、股下域８において身体被覆部２よりも幅狭く形成されていて、股下域８から前後方向Ｙに長く延びる体液吸収部３が設けられている。身体被覆部２では、前後端縁部２ａ，２ｂにおいて外面シート５がおむつ１の内側へ折り返されて、内面シート４に重ねられている。体液吸収部３は、芯材２１と透液性の被覆シート２５とからなる。芯材２１は、股下域８に配置され、好ましくは股下域８から前後方向Ｙに向かって延びている。被覆シート２５は、芯材２１の内外面２１ａ，２１ｂのうちの少なくとも内面２１ａを被覆するもので、図示例では芯材２１の外面２１ｂをも被覆している。かような体液吸収部３は、内面３４と、外面３５と、前後方向Ｙへ延びる一対の側縁部２２と、幅方向へ延びる前後端縁部２３，２４とを有する。外面３５は、一対の側縁部２２と２２との中間部分、および前後端縁部２３，２４においてホットメルト接着剤２７を介して身体被覆部２に接合されている。体液吸収部３の内面３４は、前後方向Ｙにおける一部分が、体液吸収部３を横切るように幅方向Ｘへ延びており、前後方向Ｙにおける幅が５〜２５０ｍｍである少なくとも一条の横断部材３１によって覆われている。すなわち、横断部材３１は、図２から明らかなように、前後方向Ｙに位置するその両側縁３３ｃが、体液吸収部３を横切って延びるような前後方向Ｙにおける幅寸法のものであって、しかも両側縁３３ｃが体液吸収部３を横切って延びることが可能な位置に配置されている。図２では、その横断部材３１が、前後方向Ｙにおいて前胴周り域６寄りの前方横断部材３１ａと、後胴周り域７寄りの後方横断部材３１ｂとの二条からなる。横断部材３１は、体液吸収部３を横断して延びる帯状シート片３２によって形成されており、図３では、横断部材３１の両端部３３ａが体液吸収部３の側縁部２２における外面３５に接着剤２７を介して接合される一方、両端部３３ａ間の中間部３３ｂが体液吸収部３の内面３４を形成している被覆シート２５に対して非接合状態にある。好ましい横断部材３１は、両端部３３ａ間の長さがその両端部３３ａ間における体液吸収部３の表面に沿う長さよりも長く、中間部３３ｂが芯材２１の厚さ方向において、体液吸収部３の被覆シート２５から上方に向かって離間している。横断部材３１が図示例の如く複数条である場合には、前後方向Ｙにおいて互いに隣り合う横断部材３１のうちで、おむつ着用者の肛門近傍に位置することとなる横断部材３１どうしは、便がそれらの間を容易に通過し得るように、図２に示される如く前後方向Ｙへ寸法Ｗだけ離間して間隙３０を形成し、その寸法Ｗが１０〜１５０ｍｍの範囲にあることが好ましい。横断部材３１は、おむつ１の幅方向への曲げ変形に対して１０〜１５０の剛軟度を有していることが好ましく、その剛軟度は、ＪＩＳ  Ｌ  １９１３のセクション６．７．２に記載の方法と装置とによ��て測定される。剛軟度の測定には、おむつ１から採取するか、またはそのおむつ１の横断部材３１と同じ構造を有する幅２５ｍｍ、長さ１５０ｍｍの試料が使用される。
【００１３】
体液吸収部３が取り付けられている身体被覆部２には、体液吸収部３の側縁部２２それぞれの近傍に防漏カフ３６が設けられている。防漏カフ３６は、前後方向Ｙへ延びるシート片、好ましくは不透液性のシート片からなり、基縁部３７と前後端縁部３８，３９とが接着または溶着により身体被覆部２に接合されており、その前後端縁部３８，３９は外面シート５がおむつ１の内方へ折り返されている部分によって覆われている。防漏カフ３６はまた自由縁部４１を有し、その自由縁部４１は、基縁部３７よりもおむつ１の内方寄りに位置しており、股下域８とその近傍において身体被覆部２、体液吸収部３、横断部材３１に対して非接合状態にある。自由縁部４１においてシート片を折り返すことにより形成されたスリーブ４２の内面には、弾性部材４３が前後方向へ伸長された状態で接合されている。かような防漏カフ３６は、当業者にとって自明なように、おむつ１の内方へ向かって開口するポケット４４を形成している。
【００１４】
図４は、図１のおむつ１が着用されたときの股下域８の状態を示す図３と同様な図である。仮想線で示されている両脚５１に挟まれた股下域８は、身体被覆部２と体液吸収部３とが図示の如く下に向かって凸となるように、ほぼＶ字状に変形する一方、横断部材３１が上に向かって凸となるようにほぼ逆Ｖ字状ないし弧状に変形して、体液吸収部３と横断部材３１とが大きく離間し、おむつ１の前後方向へ長く延びるトンネル状の空間５２を形成する。そのように変形した横断部材３１の中間部３３ｂは、着用者の股部５０に下方から弾性的にゆるく接触して、おむつ着用者の肌を刺激することがない。図２の平面形状のおむつ１が図１のパンツ型のおむつ１となるときに、おむつ１が前後方向に湾曲してＵ字形を画くと、防漏カフ３６は、弾性部材４３が収縮して図４の如く身体被覆部２の内面から起立し、自由縁部４１が着用者のそ径部５３の近傍に当接可能になる。
【００１５】
図４の状態にあるおむつ１では、便が排泄されると、前方横断部材３１ａと後方横断部材３１ｂとが形成している間隙３０を通過して、体液吸収部３の内面３４に到達する。便は、それが軟便等の流動性のものであれば、空間５２の内側を流れて体液吸収部３の前後方向に広がる。そのように広がった便は、前方横断部材３１ａおよび／または後方横断部材３１ｂによって覆われており、おむつ着用者の肌に触れることがない。このように作用する横断部材３１は、図４の如く上方に向かって凸となるように変形することが容易になるように、また肌を強く刺激することがないように１０〜１５０の剛軟度を有する。横断部材３１は、剛軟度が１０よりも小さいと、フレキシブルになり過ぎて、上方に向かって凸となるように変形することが難しくなる。また、剛軟度が１５０を超えると、図４の如く着用者の肌に触れたときに、柔軟に変形することが難しく、肌を刺激する原因となる。
【００１６】
このような横断部材３１を形成している帯状シート片３２には、不織布や織布、プラスチックフィルム、開孔プラスチックフィルム、ネット等のシート材料を使用することができる。帯状シート片３２には、弾性的に変形可能なシート材料と非弾性的に変形可能なシート材料とのいずれをも使用し得るが、それが弾性的に変形可能なものであれば、横断部材３１は上方に向かって凸となるように変形することが容易になる。そのような弾性的なシート材料には、巻縮した繊維、例えば巻縮した複合繊維からなる不織布、天然ゴムや合成ゴム等のエラストマーからなるフィルムやネット、ウレタンやポリエチレン、ポリスチレン等からなる発泡プラスチックのシートがある。帯状シート片３２にはまた、疎水性のシート材料でも親水性のシート材料でも使用し得る。帯状シート片３２が疎水性のものであれば、それから得られる横断部材３１は、おむつ着用者に対して排尿後にもドライな感触を与えることができるものになるが、横断部材３１の上面において尿が側方へ流れ易いという場合がある。横断部材３１が親水性のものであれば、その上面において尿が側方へ流れることを防止し得るが、排尿後のおむつ着用者に対してウエットな感触を与えることがある。帯状シート片３２では、疎水性繊維に対して親水性繊維を適量混合し、帯状シート片３２における疎水性の程度を適度なレベルに調整することができる。
【００１７】
身体被覆部２における内面シート４には、不織布やプラスチックフィルムを使用することができる。外面シート５にも不織布やプラスチックフィルムを使用することができる。内面シート４と外面シート５とは、いずれも通気性のものであることが好ましいが、少なくとも一方は不透液性のものであって、体液吸収部３の外へ出た体液のおむつ１からの漏れを防げるものであることが好ましい。図１において、身体被覆部２の前後端縁部２ａ、２ｂにおいて内側へ折り返されている外面シート５は、そのような折り返しのないものに替えることができる。
【００１８】
体液吸収部３において、芯材２１には、例えば粉砕パルプ、粉砕パルプと高吸水性ポリマー粒子または高吸水性ポリマー繊維との混合物等の吸水性材料を所要の形状に圧縮成形することによって得られるブロックやそのブロックをティッシュペーパ等の液拡散性シートで被覆したものを使用することができる。また、体液吸収性のシート材料、例えばレーヨン紙やティシュペーパ、天然繊維の織布を重ね合わせてなる吸水性のブロックを使用することもできる。芯材２１に対して使用される被覆シート２５には、透液性の不織布や透液性の開孔プラスチックフィルム、ティシュペーパ等がある。ただし、芯材２１は、体液被覆部２と向かい合う外面２１ｂを不透液性シートで被覆して、芯材２１がおむつ着用者の肌と向かい合う内面２１ａのみを透液性シートで被覆しておくこともできる。防漏カフ３６には、不織布やプラスチックフィルム等のシート材料を使用することができる。このシート材料には、好ましくは不透液性、より好ましくは通気不透液性のものを使用する。
【００１９】
図５は、この発明の実施態様の一例を示す図３と同様な図である。このおむつ１における横断部材３１は、重なり合う３枚の同形同大のシート片３２ａ，３２ｂ，３２ｃからなる帯状シート片３２によって形成されている。３枚のシート片３２ａ，３２ｂ，３２ｃは、適宜の位置に形成された接合部５６において接着または溶着によって一体化するように接合されている。かような帯状シート片３２では、それぞれのシート片３２ａ，３２ｂ，３２ｃに肌触りのよい柔軟な不織布を使用する一方、３枚のシート片３２ａ，３２ｂ，３２ｃを部分的に一体化して帯状シート片３２としての剛軟度を高めることによって、肌触りがよくてしかも上方に向かって凸となるように容易に変形し得る横断部材３１を提供することができる。また、この帯状シート片３２では、最上層のシート片３２ａに剛軟度が低くて肌触りのよい不織布を使用し、中間層や最下層のシート片３２ｂ，３２ｃに剛軟度の高いシート材料を使用することもできる。
【００２０】
図６もまた、この発明の実施態様の一例を示す図３と同様な図である。このおむつ１では、横断部材３１の両端部３３ａがおむつ１の外方へ向くように折曲されており、横断部材３１の切断面がΩ字状を呈している。帯状シート片３２の性状によっては、横断部材３１がこのような形状をとることによって、上方に向かって凸となるように湾曲したときの横断部材３１と体液吸収部３との離間距離が大きくなり易い。
【００２１】
図７もまた、この発明の実施態様の一例を示す図２と同様な図である。このおむつ１における横断部材３１は、前方横断部材３１ａと後方横断部材３１ｂとの二条からなり、横断部材３１ａ，３１ｂそれぞれには、おむつ１の幅方向Ｘに延びており、好ましくは体液吸収部３を横断する第１、第２スリット６１ａ，６１ｂが形成されている。隣接する第１スリット６１ａどうしの間隔ｍと、隣接する第２スリット６１ｂどうしの間隔ｎとは、２〜８０ｍｍの範囲にある。前方横断部材３１ａと後方横断部材３１ｂとは、体液吸収部３の上方に位置する部分が第１、第２スリット６１ａ，６１ｂによって複数条に細分化されているので、おむつ１が着用されたときに、複雑な曲線を画くおむつ着用者の肌に対しても密着することが容易になる。また、尿や軟便は、第１スリット６１ａや第２スリット６１ｂを通過して前方横断部材３１ａや後方横断部材３１ｂの内側に入ることが可能で、そのように流れた尿は、もはや着用者の肌を濡らすことがない。また、前方横断部材３１ａに第１スリット６１ａおよび／または後方横断部材３１ｂに第２スリット６１ｂが形成されているおむつ１では、間隙３０と肛門の位置がずれている場合でも、排泄物が第１スリット６１ａや第２スリット６１ｂを通り向けて体液吸収部３に到達することが可能である。図示例において、第１スリット６１ａは幅方向Ｘに長く連続して形成され、第２スリット６１ｂは幅向Ｘに短く間欠的に形成されているが、第１スリット６１ａを第２スリット６１ｂのように間欠的なものにしたり、第２スリット６１ｂを第１スリット６１ａのように連続的なものにしたりして、この発明を実施することもできる。
【００２２】
図８もまた、この発明の実施態様の一例を示す図３と同様な図である。このおむつ１では、前胴周り域６寄りに一条の横断部材３１が設けられる。この横断部材３１は、図３における前方横断部材３１ａとほぼ同じ位置に、ほぼ同じ寸法で作られている。ただし、この横断部材３１は、前方側縁部６１の近傍に接合部位６２を有し、その部位６２が接着または溶着により被覆シート２５に接合されている。かようなおむつ１の股下域８におけるＥ−Ｅ線に沿う切断面の形状は、図３のそれと実質的に同じであるから、その図示は省略する。横断部材３１は、おむつ１の大きさに応じて幅を５〜２５０ｍｍの間で調整することができる。横断部材３１の位置は、図示例のように前胴周り域６寄りであることが好ましいが、その位置を前後方向Ｙにずらすことも可能である。このおむつ１の横断部材３１にも、図７に例示の第１スリット６１ａや第２スリット６１ｂと同じような形状のスリットを設けることができる。
【００２３】
図９は、図８のＩＸ−ＩＸ線に沿う切断面を示す図である。図８において、ＩＸ−ＩＸ線は接合部位６２を横切っている。横断部材３１がおむつ１の中央部位において被覆シート２５に接合されているので、横断部材３１と被覆シート２５とがおむつ１の胴周り開口１１（図１参照）に向かって大きく口を開けるように離間することがない。このようなパンツ型のおむつ１では、それを乳幼児に着用させるときに、爪先を誤って横断部材３１と被覆シート２５との間に入れるということがない。
【００２４】
図１０もまた、この発明の実施態様の一例を示す図３と同様な図である。このおむつ１では、パンツ型の身体被覆部２における内面シート４が透液性の不織布で形成され、外面シート５が不透液性のプラスチックフィルムで形成されている。体液吸収部３は、体液吸収性の芯材２１とその芯材２１が肌と向かい合う面を被覆している内面シート４とによって形成されている。芯材２１は、粉砕パルプと高吸水性ポリマー粒子との混合物からなるブロック、またはこれら両者の積層物からなるブロックをティッシュペーパで被覆することにより形成されていて、内面シート４と外面シート５との間に配置され、これら両シート４，５の少なくとも一方の内面にホットメルト接着剤（図示せず）を介して接合されている。横断部材３１の帯状シート片３２は、熱可塑性合成繊維の不織布からなり、横断部材３１は全体としてほぼＣ字形を画くように、両端部３３ａがおむつ１の内方へ向かって折曲され、芯材２１の側縁部２２よりも外方において、内面シート４に接着または溶着により接合されている。このように使用される内面シート４は、身体被覆部２を形成するものであると同時に、体液吸収部３を形成するものでもある。このようなおむつ１においても、それが着用されたときには、横断部材３１の下方に図３と同様な大きな空間が形成される。
【００２５】
この発明において、横断部材３１は、両端部３３ａのそれぞれが確実におむつ１の内方または外方へ向くようにしたり、中間部３３ｂが確実に上方に向かって凸となるようにするために、横断部材３１が熱可塑性合成樹脂を含むものである場合には、その切断面形状がＣ字状またはΩ字状となるように予め熱成形しておくことができる。図示例においてパンツ型のおむつ１を例とって説明したこの発明は、開放型のおむつにおいて実施することも可能である。
【００２６】
【発明の効果】
この発明に係る使い捨ておむつでは、体液吸収部を横断してその体液吸収部の上方において弧を画く少なくとも一条の横断部材が設けられており、横断部材と体液吸収部とが形成する空間に流入した便や尿は、その横断部材の存在によっておむつ着用者の肌と接触することがない。横断部材は、適度な剛軟度を有し、それ自身が上方に向かって弧を画くように変形したときには、おむつ着用者の肌に弾性的にゆるく当接することが可能である。このような横断部材では、おむつ着用者の肌を局部的に強く刺激したり、肌がかぶれたりするということがない。横断部材にスリットが形成されていると、尿や軟便は、そのスリットを通り抜けて体液吸収部に到達することが可能になる。
【図面の簡単な説明】
【図１】使い捨ておむつの部分破断斜視図。
【図２】前後方向に分離し、伸展した状態にある使い捨ておむつの部分破断平面図。
【図３】図２のＩＩＩ−ＩＩＩ線切断面を示す図。
【図４】股下域が変形している使い捨ておむつについての図３と同様な図。
【図５】実施態様の一例を示す図３と同様な図。
【図６】実施態様の他の一例を示す図３と同様な図。
【図７】実施態様の他の一例を示す図２と同様な図。
【図８】実施態様の他の一例を示す図２と同様な図。
【図９】図８のＩＸ−ＩＸ線に沿う切断面を示す図。
【図１０】実施態様の他の一例を示す図３と同様な図。
【符号の説明】
１  使い捨ておむつ
２  身体被覆部
３  体液吸収部
６  前胴周り域
７  後胴周り域
８  股下域
２１  ブロック（芯材）
２２  側縁部
３１，３１ａ，３１ｂ  横断部材
３２  帯状シート片
３３ａ  端部
３３ｂ  中間部
３２ｃ  側縁
６１，６１ａ，６１ｂ  スリット
Ｘ  幅方向
Ｙ  前後方向


【手続補正２】
【補正対象書類名】図面
【補正対象項目名】図２
【補正方法】変更
【補正の内容】
【図２】
2005058272.tif 000013
【手続補正３】
【補正対象書類名】図面
【補正対象項目名】図７
【補正方法】変更
【補正の内容】
【図７】
2005058272.tif 000014
【手続補正４】
【補正対象書類名】図面
【補正対象項目名】図８
【補正方法】変更
【補正の内容】
【図８】
2005058272.tif 000015
【手続補正５】
【補正対象書類名】図面
【補正対象項目名】図１０
【補正方法】変更
【補正の内容】
【図１０】
2005058272.tif 000016